(57)【要約】      （修正有）【課題】信頼性のあるコンテナの不正開封を検出するためのプラグ、システム、及び方法を提供する。【解決手段】プラグ１０４は、コンテナ１０２の開口部を閉じるために取り付けられる。プラグは、コンテナに対してプラグを回転させることによってコンテナの開口部にプラグを取り付けるための取り付け手段と、コンテナに対するプラグの回転を感知するためのモーションセンサと、サーバ１０６との通信を行うための通信手段を備える。【選択図】図１
2018030645.tif 000002
【特許請求の範囲】
【請求項１】
コンテナの不正開封を検出するためのプラグであって、前記コンテナの開口部を閉鎖するように構成されるプラグにおいて、
前記コンテナに対して前記プラグを回転させることにより、前記コンテナの前記開口部に前記プラグを取り付けるための取り付け手段と、
前記コンテナに対する前記プラグの回転を感知するためのモーションセンサと、
サーバと通信するための通信手段と、
を備えるプラグ。
【請求項２】
前記コンテナの充填レベルを感知するための充填レベルセンサをさらに備える、請求項１に記載のプラグ。
【請求項３】
前記取り付け手段がねじ状のもの又はターンロックである、請求項１または請求項２に記載のプラグ。
【請求項４】
前記取り付け手段がねじ状のものであり、前記コンテナに対して前記プラグを少なくとも１８０度回転させることにより、前記コンテナの開口部に前記プラグを取り付ける、請求項１に記載のプラグ。
【請求項５】
前記取り付け手段が前記ターンロックであり、前記コンテナに対して前記プラグを少なくとも９０度回転させることにより、前記コンテナの開口部に前記プラグを取り付ける、請求項１に記載のプラグ。
【請求項６】
前記モーションセンサは、加速度計、磁力計、ジャイロスコープのうちの少なくとも１つである、請求項１〜５のいずれかに記載のプラグ。
【請求項７】
前記モーションセンサがさらに、前記コンテナに対する前記プラグの軸方向の移動を感知するよう構成される、請求項１〜６に記載のプラグ。
【請求項８】
前記軸方向の移動は、前記コンテナに対する前記プラグの回転によって定義される平面に原則垂直な方向である、請求項７の記載のプラグ。
【請求項９】
前記サーバは、前記感知されたプラグの回転をサービススケジュールと比較するように構成される、請求項１〜８のいずれかに記載のプラグ。
【請求項１０】
前記充填レベルセンサが前記サービススケジュールを確認するように構成される、請求項２に従属する請求項９に記載のプラグ。
【請求項１１】
前記充填レベルセンサは、超音波センサ、赤外線センサ、圧力センサ、重量センサ、超広帯域レーダーセンサ、カメラセンサ、レーザーセンサのうちの少なくとも一つである、請求項２及び請求項２に従属する請求項３〜１０のいずれか１項に記載のプラグ。
【請求項１２】
電源を備える、請求項１〜１１に記載のプラグ。
【請求項１３】
前記充填レベルセンサ、前記モーションセンサ及び前記通信手段を制御するためのマイクロコントローラユニットを備える、請求項１〜１２に記載のプラグ。
【請求項１４】
コンテナの不正開封を検出するためのシステムであって、
前記コンテナの開口部を閉鎖するプラグと、サーバとを備え、
前記プラグは、前記コンテナに対して前記プラグを回転させることにより、前記コンテナの開口部に前記プラグを取り付けるための取り付け手段と、前記コンテナに対する前記プラグの回転を感知するためのモーションセンサと、通信手段とを備え、
前記サーバは、前記プラグと通信するための通信手段と、前記コンテナのサービススケジュールを含むデータベースと、センサデータ及び前記サービススケジュールを解析するための解析ユニットとを備える、
システム。
【請求項１５】
コンテナの不正開封を検出するための方法であって、
コンテナに対するプラグの回転を検出することと、
検出された前記プラグの回転をサーバに伝達することと、
検出された前記プラグの回転を前記コンテナのサービススケジュールと比較することと、
検出された前記プラグの回転が前記コンテナのサービススケジュールと異なる場合、警報を発生することと、
を含み、
前記プラグは、前記コンテナに対して前記プラグを回転させることにより、前記コンテナの開口部に前記プラグを取り付けるための取り付け手段と、前記コンテナに対する前記プラグの回転を感知するためのモーションセンサと、通信手段とを備える、
方法。
【発明の詳細な説明】
【技術分野】
【０００１】
本願は一般的に開封証明技術に関する。具体的には、コンテナの不正開封（Tampering）を検出するためのプラグ、システム、及び方法に関する。
【背景】
【０００２】
近年、様々な実生活に応用するためのセンサの利用が、技術の発展及び向上に起因して急増している。最近では、距離測定、温度測定、速度測定等、多くの目的でセンサが幅広く利用されている。さらに、充填レベル測定器等のいくつかの応用があり、この場合コンテナにセンサを設置することが要求される。特に、上記センサはコンテナの蓋に備え付けられ、コンテナに収容されたアイテムの充填を感知する。このようなセンサは、不正開封及び／または盗難の影響を受けるおそれがある。コンテナの不正開封は通常望ましいことではなく、深刻な結果を有する場合がある。
【０００３】
（コンテナに備え付けられた）センサを保護したり、センサの不正開封を防止したりするため、従来からクランプ、ブラケットその他の機械的手段がある。さらに、所定限度を超過するセンサの移動を規制するために、リミットスイッチが用いられる場合がある。特に、リミットスイッチのアクチュエーターとセンサの接触に応じて、コンテナに対するセンサの有無を決定するのにリミットスイッチが使用される場合がある。したがって、リミットスイッチはコンテナの不正開封をリモート監視するために使用することができない。また、リミットスイッチの機械的部品は経年劣化するおそれがある。
【０００４】
したがって、先行の議論を考慮すると、コンテナの不正開封に関連する前述の欠点を克服する必要がある。
【概要】
【０００５】
本願はコンテナの不正開封を検出するためのプラグを提供することを試みる。また、本願はコンテナの不正開封を検出するためのシステムを提供することを試みる。さらに、本願はコンテナの不正開封を検出するための方法を提供することを試みる。本願は、コンテナの不正開封検出において存在する問題の解決策を提供することを試みる。本願の目的は、従来技術で直面する問題を少なくとも部分的に克服する解決策を提供することであり、コンテナの不正開封を検出するための確実性かつ信頼性のある解決策を提供することである。
【０００６】
一態様では、本願の実施形態はコンテナの不正開封を検出するためのプラグを提供する。このプラグはコンテナの開口部を閉鎖するように構成される。このプラグは、コンテナに対してプラグを回転させることにより、コンテナの開口部にプラグを取り付けるための取り付け手段と、コンテナに対するプラグの回転を感知するためのモーションセンサと、サーバと通信するための通信手段とを備える。
【０００７】
一態様では、本願の実施形態は、コンテナの不正開封を検出するためのシステムを提供する。このシステムは、コンテナの開口部を閉鎖するプラグと、サーバとを備える。このプラグは、コンテナに対してプラグを回転させることにより、コンテナの開口部にプラグを取り付けるための取り付け手段と、コンテナに対するプラグの回転を感知するためのモーションセンサと、通信手段とを備える。上記サーバは、プラグと通信するための通信手段と、コンテナのサービススケジュールを含むデータベースと、センサデータ及びサービススケジュールを解析するための解析ユニットと、を備える。
【０００８】
一態様では、本願の実施形態は、コンテナの不正開封を検出するための方法を提供する。この方法は、コンテナに対するプラグの回転を検出することと、検出されたプラグの回転をサーバに伝達することと、検出されたプラグの回転をコンテナのサービススケジュールと比較することと、検出されたプラグの回転がコンテナのサービススケジュールと異なる場合、警報を発生することとを含む。ここで上記プラグは、コンテナに対してプラグを回転させることにより、コンテナの開口部にプラグを取り付けるための取り付け手段と、コンテナに対するプラグの回転を感知するためのモーションセンサと、通信手段とを備える。
【０００９】
本願の実施形態は、従来技術における前述の問題点を実質上解決し、少なくとも部分的に対処する。そして、信頼性のあるコンテナの不正開封検出を可能にする。
【００１０】
本願の追加的な態様、利点、特徴及び目的は、図面及び添付の特許請求の範囲と共に解釈される実施態様の詳細な説明によって明らかにされる。
【００１１】
本願の特徴は、添付の特許請求の範囲によって定義される本願の範囲から逸脱することなく、様々な組み合わせと結合が可能であることが理解である。
【図面の簡単な説明】
【００１２】
後述の実施態様の詳細な説明と同様に、上記概要は、添付の図面と併せて読むとより理解できる。本願を説明するため、本願の典型的な構造が図面に示されている。しかし、本願は本明細書に開示した具体的な方法や手段に限定されない。さらに、図面が原寸に比例していないことは、当業者には明らかであろう。可能な限り、同様の要素は同一番号で示した。
【００１３】
本願の実施形態は、以下の図面を参照し、単なる例としてここで説明される。
【図１】本願の実施形態に従う、コンテナの不正開封を検索するためのシステムのブロック図である。
【図２】本願の実施形態に従う、図１のコンテナの断面の略図である。
【図３】本願の実施形態に従う、プラグのブロック図である。
【図４】本願の実施形態に従う、コンテナの不正開封を検出するための方法のステップを説明したものである。
【００１４】
添付図面には、各要素を説明するために下線が引かれた番号が用いられている。下線の引かれた番号の上、または隣りに要素が記載されている。下線の引かれていない番号は、その番号からつながる線によって特定される要素に関するものである。番号に下線が引かれておらず、関連する矢印によって番号が付されている場合、その下線が引かれていない番号は、その矢印が指し示す全体的な要素を特定するのに用いられる。
【実施形態の詳細説明】
【００１５】
下記の詳細説明は本願の実施形態を説明し、また、実施形態を実装する方法を説明するものである。本願を実行するいくつかのやり方を開示しているが、当業者であれば、本願を実施するための他の形態もまた可能であることが理解できるであろう。
【００１６】
一態様では、本願の実施形態はコンテナの不正開封を検出するためのプラグを提供する。このプラグはコンテナの開口部を閉鎖するように構成される。このプラグは、コンテナに対してプラグを回転させることにより、コンテナの開口部にプラグを取り付けるための取り付け手段と、コンテナに対するプラグの回転を感知するためのモーションセンサと、サーバと通信するための通信手段とを備える。
【００１７】
一態様では、本願の実施形態は、コンテナの不正開封を検出するためのシステムを提供し、このシステムは、コンテナの開口部を閉鎖するプラグとサーバとを備える。このプラグは、コンテナに対してプラグを回転させることにより、コンテナの開口部にプラグを取り付けるための取り付け手段と、コンテナに対するプラグの回転を感知するためのモーションセンサと、通信手段とを備える。また、上記サーバは、プラグと通信するための通信手段と、コンテナのサービススケジュールを含むデータベースと、センサデータ及びサービススケジュールを解析するための解析ユニットとを備える。
【００１８】
一態様では、本願の実施形態は、コンテナの不正開封を検出するための方法を提供し、この方法は、コンテナに対するプラグの回転を検出することと、検出されたプラグの回転をサーバに伝達することと、検出されたプラグの回転をコンテナのサービススケジュールと比較することと、検出されたプラグの回転がコンテナのサービススケジュールと異なる場合、警報を発生することとを含む。ここで、上記プラグは、コンテナに対してプラグを回転させることにより、コンテナの開口部にプラグを取り付けるための取り付け手段と、コンテナに対するプラグの回転を感知するためのモーションセンサと、通信手段とを備える。
【００１９】
本願はコンテナの不正開封を検出するためのプラグ、システム及び方法を提供する。本願に記載されたプラグは、プラグの回転をリモート検出するための少なくとも１つのモーションセンサを含む。したがって、プラグを使用する不正開封検出の可能性（likelihood）が非常に高い。さらに、本願のシステムは、コンテナの不正開封を検出するための従来の手段（リミットスイッチ等）と比較してより確実性及び信頼性の高い解決策を提供する。また、本願に記載されるシステム及び方法は、コスト効率がよく、スケーラブルで、実装が簡素である。
【００２０】
一実施形態では、プラグがコンテナの充填レベルを感知するための充填レベルセンサをさらに含む。このセンサはコンテナの充填レベルを監視可能であり、コンテナが空であるかどうか、または、コンテナに何かが追加されたかどうかをチェックすることができる。
【００２１】
一実施形態ではコンテナは船舶であり、船体にアイテムを収容するための中空体を備える。コンテナは、コンテナを少なくとも部分的に覆う蓋を備える場合もある。例えば、その蓋は上部からコンテナを覆うために使用される場合がある。さらに、コンテナは様々な形状及びサイズを有することができる。一実施形態では、コンテナは廃棄物収集用コンテナであってもよい。このような実施形態では、コンテナはリサイクル廃材、台所ゴミ、プラスチック等の廃棄物回収のために使用される場合がある。さらに、コンテナは特定の場所やその周囲での廃棄物回収のため、特定の場所に位置する場合がある。コンテナはタンク等の液体用コンテナの場合があり、そのタンクにはプラグを配置できる非常に小さな開口部が備えられている場合がある。
【００２２】
コンテナはその開口部を閉鎖するために適用されるプラグを備える。コンテナの開口部はコンテナの側面等、コンテナのどの表面にあってもよい。一実施形態では、コンテナの開口部はコンテナ上部にある蓋の上にあってもよい。別の実施形態では、コンテナの開口部はコンテナ底面にあってもよい。
【００２３】
一実施形態では、プラグは様々な形状及びサイズを有してもよい。例えばプラグは、コンテナの開口部に密着するような形状及びサイズを有してもよい。さらにプラグは、センサ、メモリ、バッテリー等の電気的ユニット、機械的ユニット及びコンピュータユニットを備えるハウジングであってもよい。
【００２４】
プラグは、コンテナの充填レベルを感知するための充填レベルセンサを備えてもよい。特に充填レベルセンサは、コンテナ内部にあるアイテム（例えば、廃棄物または液体）の充填レベルを測定するために使用される場合がある。例えば充填レベルセンサは、内部を空にすることが必要なコンテナの中にある廃棄物の充填レベルを測定するために使用されてもよい。別の例では、充填レベルセンサがコンテナ内を満たす物の重量を測定してもよい。
【００２５】
一実施形態によると、充填レベルセンサは、超音波センサ、赤外線センサ、圧力センサ、重量センサ、超広帯域レーダーセンサ、カメラセンサ、レーザーセンサのうちの少なくとも一つである場合がある。圧力センサ及び／または重量センサをコンテナの充填レベルを感知するための充填レベルセンサとして使用する場合、これら圧力センサ及び／または重量センサをコンテナ底面に取り付ける必要があることは明らかである。
【００２６】
さらにプラグは、コンテナに対してプラグを回転させることによりコンテナの開口部にプラグを取り付けるための取り付け手段を備える。一実施形態では、取り付け手段はねじ状のもの、またはターンロックであってもよい。取り付け手段がねじ状のものである場合、コンテナの開口部には取り付け用のねじ状のものが装備される。
【００２７】
一実施形態では、取り付け手段は、コンテナに対してある角度でプラグを回転させることにより、プラグを開口部に取り付ける。例えば、ねじ状のもの（取り付け手段）は、コンテナに対してプラグを少なくとも１８０度回転させることにより、コンテナの開口部にプラグを取り付ける。別の例では、プラグを１８０度以外の角度（１５０度、３６０度等）で回転させてもよい。このような実施形態では、コンテナの開口部を定める面が、コンテナの開口部にプラグを取り付けるために用いるねじ穴を備えてもよい。
【００２８】
一実施形態では、取り付け手段（ターンロック等）は、コンテナに対してプラグを少なくとも９０度回転させることにより開口部にプラグを取り付ける。
【００２９】
一実施形態では、プラグは、コンテナに対するプラグの回転以外のメカニズムによって、コンテナの開口部にプラグを取り付けるための取り付け手段を備えてもよい。例えば、取り付け手段はスナップ式の構成でもよく、また、プラグはコンテナの開口部にアタッチメントに対して直線的に挿入することによってしっかりとフィットさせてもよい。一方、プラグを外す際にはプラグを回転させる必要があるであろう。
【００３０】
プラグは、コンテナに対するプラグの回転を感知するためのモーションセンサを備える。一実施形態では、モーションセンサは、加速度計、磁力計、ジャイロスコープのうちの少なくとも１つである。特にモーションセンサは、コンテナに対するプラグの移動（回転、軸方向の移動等）を検出するために用いてもよい。したがって、モーションセンサはコンテナの不正開封の検出を補助することができる。モーションセンサは、コンテナに対するプラグの回転移動を感知するよう構成されている。モーションセンサは、コンテナに対する軸方向の移動等、別方向の移動を感知するよう構成されていてもよい。通常はこのように、プラグはコンテナの所定のタイプやその開口部に合わせて設計される。
【００３１】
一実施形態では、プラグはコンテナの不正開封検出の信頼性のため、１つ以上のモーションセンサを備えることができる。一実施形態では、加速度計（モーションセンサ）は、プラグに対する加速対象物等の移動計測が可能な電気機械デバイスであってもよい。加速度計は、単数軸または複数軸、いずれのモデルであってもよい。例えば、プラグの加速度計は６軸の加速度計であってもよい。
【００３２】
一実施形態では、重力、プラグの傾斜、プラグの移動、プラグの振動等のうちの少なくとも１つに起因する、プラグに関する加速度測定に加速度計を使用してもよい。したがって、プラグの移動は、プラグの加速度値に対応してもよい。さらに、加速度値及び／または加速度値の傾向は、不正開封検出に使用してもよい。例えば、一定期間の加速度値が、その期間で一般的に観測される加速度値の傾向から逸脱している場合、検出されたプラグの移動がコンテナの不正開封を示す場合もある。別の例では、プラグの加速度値が加速度値の許容範囲内にない場合、その検出されたプラグの移動がコンテナの不正開封を示す場合がある。
【００３３】
別の実施形態では、磁力計やジャイロスコープの値が同様に、不正開封検出に関するプラグの移動と関連してもよい。
【００３４】
一実施形態では、モーションセンサがさらに、コンテナに対するプラグの軸方向の移動を感知するよう構成される。軸方向の移動は、コンテナに対するプラグの回転によって定義される平面に原則垂直な方向であってもよい。別の実施形態では、別の方向の移動を感知するように構成されてもよく、例えば、コンテナに対するプラグの回転によって定義される平面と平行な方向の移動を感知できるようにされてもよい。
【００３５】
この説明では、充填レベルセンサに関する収集データ（充填レベル等）、及びモーションセンサに関する収集データ（加速度、移動等）を「センサデータ」と一般的に以下で称する。
【００３６】
コンテナの不正開封検出のためのプラグは、サーバと通信するための通信手段を備える。特に、プラグの通信手段はネットワークを介して送信及び／または受信するのに適したハードウェア、ソフトウェア、ファームウェア、またはこれらの組み合わせを備えることができる。例えば、プラグの通信手段は送受信ユニットであってもよい。プラグの通信手段とサーバの通信手段との通信を円滑にするため、プラグの通信手段がサーバの通信手段と互換性があることが好ましいことは明らかである。一実施形態では、プラグの通信手段はネットワークを介した通信に適合させることができる。ネットワークの具体例として、セルラーネットワーク、短距離無線、Ｌｏｗ−Ｐｏｗｅｒ  Ｗｉｄｅ−Ａｒｅａ  Ｎｅｔｗｏｒｋ  （ＬＰＷＡＮ）等があるがこれに限定されない。
【００３７】
一実施形態では、プラグはさらに電源を備える。特に、電源はプラグ内部の電気的ユニット及びコンピュータユニットに電力を供給する。これらユニットは、具体的には任意の充填レベルセンサ、モーションセンサ、及び通信手段である。例えば、電源は産業用グレイドリチウム電池であってもよい。さらに、電源はプラグ内のマイクロコントローラユニット及びメモリユニットに電力を伝達するのに使用されてもよい。
【００３８】
一実施形態では、プラグはさらにマイクロコントローラユニットを備える。このマイクロコントローラユニットは、任意の充填レベルセンサ、モーションセンサ及び通信手段を制御するためのユニットである。特に、マイクロコントローラユニットは、プロセッサユニット、集積メモリ、入力ユニット/出力ユニット、パラメータ化されたプログラム等を含むデバイスであってもよい。マイクロコントローラユニットは、充填レベルセンサ、モーションセンサ及び通信手段の操作のための指示を送ることもでき、さらにデータを伝達することもできる。プラグが、追加的なセンサや電源等の制御を要する他の要素を備えている場合、同一のマイクロコントローラは一般的にこれら要素を制御するためにも使用される。
【００３９】
一実施形態では、プラグはメモリユニットも備えることができる。特にメモリユニットは、データを保存するハードウェア、ソフトウェア、ファームウェア、またはこれらの組み合わせを備える単一または複数のモジュールまたはデバイスを備えてもよい。さらにメモリは、マイクロコントローラユニットによって受信したセンサデータ、及び／または、コンテナに関するデータ（コンテナの積載容量、コンテナの位置等）を保存するように構成されていてもよい。
【００４０】
一実施形態では、サーバはプラグからセンサデータを受信してもよい。サーバは、プラグと通信するための通信手段を備える。サーバの通信手段は、プラグの通信手段及びネットワークのタイプ（短距離無線等）と互換性があることが理解できるであろう。一実施形態では、サーバの通信手段はネットワークを介した通信に適合させることができる。ネットワークの具体例として、セルラーネットワーク、短距離無線、Ｌｏｗ−Ｐｏｗｅｒ  Ｗｉｄｅ−Ａｒｅａ  Ｎｅｔｗｏｒｋ  （ＬＰＷＡＮ）等があるがこれに限定されない。
【００４１】
サーバはさらに、コンテナのサービススケジュール（前述のとおり）を有するデータベースを備える。一実施形態では、本明細書で使用される用語「サービススケジュール」は、コンテナに関するサービスイベントのために編成された計画を指す。特に、サービススケジュールはコンテナを空にしたり、移動させたり、清掃したりするためのスケジュール時間のリストを含むことができる。例えば、廃棄物コンテナのためのサービススケジュールは、廃棄物コンテナを空にする予定の日時、廃棄物コンテナを空にする責任者の氏名及び識別情報、サービス用輸送手段の登録番号等の詳細を含むことができる。さらに、サービススケジュールはコンテナに関するあらゆる追加的な詳細も含むことができる。例えば、サービススケジュールはコンテナの保管容量、コンテナ内部のアイテムの重量等に関する詳細を含んでもよい。一実施形態では、サービススケジュールは固定でもよい。例えば、廃棄物コンテナのサービススケジュールは、毎日午後３時に廃棄物コンテナを空にするスケジュールを含んでいてもよい。別の実施形態では、サービスは動的であってもよく、コンテナの充填レベル及び／またはサービス用輸送手段のルートマップ（旅程）に従って所定の規則で変動してもよい。
【００４２】
サーバはさらに、センサデータやサービススケジュールを解析する解析ユニットを備える。特にサーバは、ハードウェア、ソフトウェア、ファームウェア、またはこれらの組み合わせであってもよく、プラグのセンサに関連するデータを解析するためにネットワークを通じてプラグと通信するよう構成されていてもよい。
【００４３】
一実施形態では、解析ユニットは、センサデータやコンテナのサービススケジュールを解析するためのハードウェア、ソフトウェア、ファームウェア、またはこれらの組み合わせを備えてもよい。センサデータ及びサービススケジュールの解析は、センサデータ及びサービススケジュールの比較、サービススケジュールの管理、センサデータの傾向の推定等を含むがこれに限定されない。
【００４４】
実施形態によれば、サーバは感知されるプラグの回転をサービススケジュールと比較するように構成される。特に解析ユニットは、コンテナの不正開封を検出するために、感知されたプラグの移動（回転、軸方向の移動等）をサービススケジュールと比較するよう構成されていてもよい。感知されたプラグの移動とサービススケジュールの比較では、サービススケジュールに従う所定の（または予想される）プラグの移動からの、感知されたプラグの移動の逸脱（または相違）が見つけられる。例えば、ある日の午前８時に予定されている、コンテナを空にする作業のために、午前７時４５分から午前８時１５分の間のプラグ移動を、そのサービススケジュールに従うプラグ移動予定としてもよい。しかしこのとき、その日の午前６時にプラグ移動が感知されたとすると、それはプラグ移動予定から外れているため、コンテナの不正開封に関係していると考えられてもよい。一実施形態では、サービススケジュールと感知されたプラグの移動の比較を実行するのに、解析ユニットに実装されるのに適した手段（比較デバイス、比較モジュール等）を使用してもよい。
【００４５】
本願の実施形態では、コンテナの充填レベル、及び／またはサービス用輸送手段のルートマップ（または旅程）に従い、コンテナのサービススケジュールを動的に準備するよう、解析ユニットを構成してもよい。
【００４６】
操縦中、本願のシステムは、コンテナの不正開封を検出するために使用することができる。（上記の）コンテナに対するプラグ回転が検出される場合がある。特にモーションセンサは、コンテナに対するプラグ回転を感知するために使用することができる。よって、検出されたプラグ回転は（上記の）サーバに伝達される場合がある。特にプラグの通信手段は、ネットワークを通じてサーバに検出されたプラグ回転を伝達してもよい。さらに、検出されたプラグ回転をコンテナのサービススケジュールと比較してもよい。一実施形態によれば、サーバは感知されたプラグの回転をサービススケジュールと比較するように構成される。特にサーバの解析ユニットは、感知された回転をサービススケジュールと比較する。そして、検出されたプラグの回転がコンテナのサービススケジュールと異なる場合、警報が出される。
【００４７】
一実施形態では、警報の発生には、コンテナ上のライトの点滅、コンテナのブザーの鳴動、最も近くにいる作業員またはサービス用輸送手段へのマルチメディアメッセージの送信等を含むことができるがこれに限定されない。一実施形態では、サーバの解析ユニットはサーバの通信手段と協動して警報を発生してもよい。具体的には、サービス担当者に送信されるテキストメッセージの警報をサーバの解析ユニットが発生してもよい。別の実施形態では、プラグのマイクロコントローラユニットが、プラグの通信手段と協動して警報を発生してもよい。
【００４８】
一実施形態では、充填レベルセンサがサービススケジュールを確認するように構成される。特に充填レベルセンサは、コンテナ内部のアイテムの充填レベルを感知し、サービススケジュールで規定されるイベント（コンテナを空にする、コンテナの清掃、コンテナの移動等）の発生を確認するように構成されていてもよい。
【００４９】
例えば、午後３時前後の充填レベルの感知によって、充填レベルセンサが午後３時のコンテナを空にするイベントを確認してもよい。特に、午後３時過ぎの充填レベルが午後３時前の充填レベルより低い場合、コンテナを空にするイベントの間のプラグ移動はコンテナの不正開封を示せない。
【００５０】
別の例では、スケジュールイベントが、特定時刻に廃棄物コンテナがある場所から別の場所に移動するということを規定する場合、充填レベルセンサによって測定される一定の充填レベルが、コンテナの移動を確認してもよい。このような場合、かかるプラグの移動に対応するモーションセンサのデータは、コンテナの不正開封を示せない。
【００５１】
一例では、プラグの通信手段はサービス担当者の存在を検出してもよいし、サービススケジュールを確認してもよい。特に通信手段は、サービススケジュールに基づいてサービス担当者の通信デバイスを検出することにより、サービス担当者の存在を確認してもよい。例えば、プラグのブルートゥース（登録商標）デバイスが、サービス担当者と関連するブルートゥースデバイスの存在を検出した場合、プラグ移動がコンテナの不正開封として検出されない。しかし、プラグのブルートゥースデバイスが、未知のエンティティ（潜在する窃盗犯等）に関連するブルートゥースデバイスの存在を検出した場合、プラグの移動（例えば、回転または軸方向の移動）はコンテナの不正開封として検出される。
【００５２】
一実施形態では、マイクロコンピュータユニットは感知されたプラグの回転をサービススケジュールと比較するように構成されていてもよい。任意で、マイクロコンピュータユニットは感知されたプラグの軸方向の移動をサービススケジュールと比較するように構成されていてもよい。このような場合、プラグのメモリユニットはサービススケジュールを備えていてもよい。したがって、コンテナの不正開封の検出はプラグによって総合的になされることができる。
［図面の詳細説明］
【００５３】
図１を参照すると、本願の実施形態に従った、コンテナ１０２の不正開封を検索するためのシステム１００のブロック図が描かれている。コンテナ１０２はその蓋の上にプラグ１０４を備える。さらに、コンテナ１０２のプラグ１０４はネットワーク１０８を通じてサーバ１０６と通信する。プラグ１０４及びサーバ１０６は、いずれもネットワーク１０８と互換性のある通信手段を備える。
【００５４】
図２を参照すると、本願の実施形態に従った、図１のコンテナ１０２の断面の略図が描かれている。コンテナ１０２は、コンテナ１０２内部の充填レベル２０４を表現するアイテム２０２（例えば、廃棄物またはゴミ）を含む。コンテナ１０２はさらに、コンテナ１０２の蓋２０８にある開口部２０６に取り付けられたプラグ１０４を備える。特に、取り付け手段２１０は、コンテナ１０２の蓋２０８に対してプラグ１０４を回転させることにより、コンテナ１０２の開口部２０６にプラグ１０４を取り付ける。
【００５５】
図３を参照すると、本願の実施形態に従った、（図１及び図２の示される）プラグ１０４のブロック図３００が描かれている。プラグ１０４は、充填レベルセンサ３０２、モーションセンサ３０４、通信手段３０６、マイクロコントローラユニット３０８、電源３１０を備える。図示のように、充填レベルセンサ３０２、モーションセンサ３０４、通信手段３０６はマイクロコントローラユニット３０８と動作可能に接続している。それゆえ、マイクロコントローラユニット３０８は、充填レベルセンサ３０２、モーションセンサ３０４及び通信手段３０６の操作を制御する。電源３１０は、マイクロコンローラユニット３０８に電力を提供する。さらに、マイクロコントローラユニット３０８は、電源３１０から充填レベルセンサ３０２、モーションセンサ３０４及び通信手段３０６への電力を制御する。
【００５６】
図４を参照すると、本願の実施形態に従った、コンテナの不正開封を検索するための方法４００のステップが描かれている。特に方法４００は、コンテナ１０２の不正開封検出のステップを示し、図１〜３と併せて説明される。ステップ４０２では、コンテナに対するプラグの回転が検出される。ステップ４０４では、検出されたプラグの回転をサーバに伝達する。ステップ４０６では、検出されたプラグの回転をコンテナのサービススケジュールと比較する。ステップ４０８では、検出されたプラグの回転がコンテナのサービススケジュールと異なる場合、警報が出される。
【００５７】
ここでは、ステップ４０２からステップ４０８が記載されているのみであるが、他の代替可能な方法も提供される。例えば、一つ以上のステップを追加したもの、一つ以上のステップを削減したもの、一つ以上のステップを特許請求の範囲から逸脱しない異なるシーケンスで提供するものである。
【００５８】
添付の特許請求の範囲によって定義される範囲から逸脱しないで、前述の実施形態を変更することが可能である。
【図１】
2018030645.tif 000003
【図２】
2018030645.tif 000004
【図３】
2018030645.tif 000005
【図４】
2018030645.tif 000006
【外国語明細書】
2018030645000001.pdf